【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
前記基地局によってサービスされ、前記基地局との接続状態において設定されたユーザ機器（ＵＥ）について、前記ＵＥが前記接続状態から抜けて遷移されるべきと決定することと、
前記ＵＥに、前記ＵＥが前記接続状態から抜けて遷移すべきであることを示すことと、ここにおいて、前記ＵＥに、前記ＵＥが前記接続状態から抜けて遷移すべきであることを前記示すことは、前記ＵＥが前記接続状態から半接続状態に遷移すべきであることを示す第１の接続解放メッセージを送ることを備え、前記半接続状態は、前記ＵＥによる少なくとも１つの一時ネットワーク識別子による物理ダウンリンク制御チャネルの監視の抑制、前記物理ダウンリンク制御チャネルのユーザ固有探索空間の監視の抑制、または前記ＵＥがアイドル状態にあるときの前記ＵＥのページングのための第２の間欠受信（ＤＲＸ）サイクルよりも短い前記ＵＥのページングのための第１のＤＲＸサイクル、のうちの少なくとも１つに関連する、
前記ＵＥが前記接続状態から抜けて遷移すべきであることを前記示すことに続いて、および前記ＵＥが前記基地局によってサービスされ続けながら、前記基地局において前記ＵＥのためのコンテキストを維持することと
を備える、方法。
【請求項２】
前記ＵＥが前記接続状態から抜けているとき、前記ＵＥからアクセス要求を受信することと、
前記ＵＥの接続状態動作について、前記ＵＥのための前記コンテキストを前記ＵＥに関連付けることと、
前記ＵＥに、前記ＵＥが前記ＵＥのための前記コンテキストに従って前記接続状態に遷移すべきであることを示すことと
をさらに備える、請求項１に記載の方法。
【請求項３】
前記ＵＥが前記接続状態から抜けて遷移した後、前記ＵＥが前記アイドル状態に遷移すべきであると決定することと、
前記ＵＥに、前記ＵＥが前記アイドル状態に遷移すべきであることを示すことと、
前記ＵＥのための前記コンテキストを解放することと
をさらに備える、請求項１に記載の方法。
【請求項４】
前記ＵＥが前記アイドル状態に遷移すべきであると前記決定することが、アイドルタイマーの満了、過負荷コンディション、前記ＵＥの少なくとも１つの論理トラフィック接続に関連するデータトラフィックタイプ、前記少なくとも１つの論理トラフィック接続に関連するアクセスポイント名（ＡＰＮ）、またはそれらの組合せのいずれかに基づく、請求項３に記載の方法。
【請求項５】
前記ＵＥが前記接続状態から抜けて遷移した後、周期的検証間隔に従って前記ＵＥに検証ページングメッセージを送信することと、
検証応答が前記ＵＥから受信されない場合、前記ＵＥのための前記コンテキストを解放することと
をさらに備える、請求項１に記載の方法。
【請求項６】
ネットワークエンティティから、前記ＵＥが異なる基地局に再選択したという指示を受信することと、
前記指示を受信したことに応答して、前記ＵＥのための前記コンテキストを解放することと
をさらに備える、請求項１に記載の方法。
【請求項７】
前記基地局のコンテキストエリア、前記基地局のトラッキングエリア、前記基地局のネイバーリスト、または前記ＵＥのネイバーリスト、のうちの１つまたは複数に関連する少なくとも１つの他の基地局に、前記ＵＥのための前記コンテキストを送ることをさらに備える、請求項１に記載の方法。
【請求項８】
前記ＵＥのための前記コンテキストが、ＵＥ状態情報、ＵＥセキュリティ情報、ＵＥ能力情報、前記ＵＥのための無線リソース制御（ＲＲＣ）設定、前記ＵＥのための少なくとも１つの論理トラフィック接続に関連する識別情報、またはそれらの組合せのいずれかを備える、請求項１に記載の方法。
【請求項９】
前記基地局において、前記ＵＥが前記接続状態から抜けて遷移した後、前記ＵＥのためのモビリティ管理エンティティまたはサービングゲートウェイのうちの少なくとも１つとの少なくとも１つの論理トラフィック接続を維持すること
をさらに備える、請求項１に記載の方法。
【請求項１０】
前記ＵＥのための前記少なくとも１つの論理トラフィック接続が、制御プレーントラフィックのための論理接続、ユーザプレーントラフィックのための論理接続、またはそれらの組合せのいずれかを備える、請求項９に記載の方法。
【請求項１１】
前記ＵＥが前記接続状態から抜けて遷移されるべきと前記決定することが、接続状態タイマーの満了、データトラフィックコンディション、サービングゲートウェイからの指示、前記ＵＥの少なくとも１つの論理トラフィック接続に関連するデータトラフィックタイプ、前記少なくとも１つの論理トラフィック接続に関連するアクセスポイント名（ＡＰＮ）、またはそれらの組合せのいずれかに基づく、請求項１に記載の方法。
【請求項１２】
ＵＥ識別情報、ＵＥ能力インジケータ、ＵＥ設定、ＵＥ優先度情報、ＵＥデータトラフィック履歴、ＵＥ接続履歴、前記ＵＥのデータ接続に関連するパケットデータネットワーク識別子、前記基地局の負荷コンディション、またはそれらの組合せのいずれかに基づいて、前記ＵＥが前記接続状態から抜けて遷移するとき、前記ＵＥのための前記コンテキストが維持されるべきであるかどうかを決定すること
をさらに備える、請求項１に記載の方法。
【請求項１３】
前記基地局が、ロングタームエボリューション（ＬＴＥ）またはＬＴＥアドバンスト（ＬＴＥ−Ａ）ワイヤレスネットワークの発展型ノードＢ（ｅＮＢ）を備える、請求項１に記載の方法。
【請求項１４】
基地局におけるワイヤレス通信のための装置であって、
プロセッサと、
前記プロセッサと電子通信しているメモリと、
前記メモリに記憶された命令と
を備え、前記命令が、前記装置に、
前記基地局によってサービスされ、前記基地局との接続状態において設定されたユーザ機器（ＵＥ）について、前記ＵＥが前記接続状態から抜けて遷移されるべきと決定することと、
前記ＵＥに、前記ＵＥが前記接続状態から抜けて遷移すべきであることを示すことと、ここにおいて、前記ＵＥに、前記ＵＥが前記接続状態から抜けて遷移すべきであることを前記示すことは、前記ＵＥが前記接続状態から半接続状態に遷移すべきであることを示す第１の接続解放メッセージを送ることを備え、前記半接続状態は、前記ＵＥによる少なくとも１つの一時ネットワーク識別子による物理ダウンリンク制御チャネルの監視の抑制、前記物理ダウンリンク制御チャネルのユーザ固有探索空間の監視の抑制、または前記ＵＥがアイドル状態にあるときの前記ＵＥのページングのための第２の間欠受信（ＤＲＸ）サイクルよりも短い前記ＵＥのページングのための第１のＤＲＸサイクル、のうちの少なくとも１つに関連する、
前記ＵＥが前記接続状態から抜けて遷移すべきであることを前記示すことに続いて、および前記ＵＥが前記基地局によってサービスされ続けながら、前記基地局において前記ＵＥのためのコンテキストを維持することと
を行わせるために前記プロセッサによって実行可能である、
装置。
【請求項１５】
前記メモリに記憶され、前記装置に、
前記ＵＥが前記接続状態から抜けているとき、前記ＵＥからアクセス要求を受信することと、
前記ＵＥの接続状態動作について、前記ＵＥのための前記コンテキストを前記ＵＥに関連付けることと、
前記ＵＥに、前記ＵＥが前記ＵＥのための前記コンテキストに従って前記接続状態に遷移すべきであることを示すことと
を行わせるために前記プロセッサによって実行可能な命令をさらに備える、請求項１４に記載の装置。
【請求項１６】
前記メモリに記憶され、前記装置に、
前記ＵＥが前記接続状態から抜けて遷移した後、前記ＵＥが前記アイドル状態に遷移すべきであると決定することと、
前記ＵＥに、前記ＵＥが前記アイドル状態に遷移すべきであることを示すことと、
前記ＵＥのための前記コンテキストを解放することと
を行わせるために前記プロセッサによって実行可能な命令をさらに備える、請求項１４に記載の装置。
【請求項１７】
前記メモリに記憶され、前記装置に、
前記ＵＥが前記接続状態から抜けて遷移した後、周期的検証間隔に従って前記ＵＥをページングすることと、
前記ページングに対する応答が前記ＵＥから受信されない場合、前記ＵＥのための前記コンテキストを解放することと
を行わせるために前記プロセッサによって実行可能な命令をさらに備える、請求項１４に記載の装置。
【請求項１８】
ユーザ機器（ＵＥ）におけるワイヤレス通信のための方法であって、
ワイヤレス通信ネットワークの第１の基地局によってサービスされている間の接続状態において無線リソース設定を確立することと、
前記第１の基地局から、前記ＵＥが半接続状態に遷移するべきという指示を受信することと、ここにおいて、前記半接続状態は、前記ＵＥによる少なくとも１つの一時ネットワーク識別子による物理ダウンリンク制御チャネルの監視の抑制、前記物理ダウンリンク制御チャネルのユーザ固有探索空間の監視の抑制、または前記ＵＥがアイドル状態にあるときの前記ＵＥのページングのための第２の間欠受信（ＤＲＸ）サイクルよりも短い前記ＵＥのページングのための第１のＤＲＸサイクル、のうちの少なくとも１つに関連する、
前記第１の基地局によってサービスされ続けながら、前記半接続状態に遷移した後、前記無線リソース設定の少なくとも一部分を維持することと
を備える、方法。
【請求項１９】
前記第１の基地局によってサービスされ続けながら、接続状態に遷移するために前記無線リソース設定の前記少なくとも一部分を利用すること
をさらに備える、請求項１８に記載の方法。
【請求項２０】
前記ＵＥによって、および前記第１の基地局から自律的に、前記ＵＥが第２の基地局へのセル再選択を実行すべきであると決定することと、
前記第２の基地局にアクセス要求を送ることと、
前記第１の基地局によってサービスされることから前記第２の基地局によってサービスされることに遷移することと、
前記無線リソース設定の前記少なくとも一部分に従って前記第２の基地局と通信することと
をさらに備える、請求項１８に記載の方法。
【請求項２１】
前記第２の基地局との初期ユーザプレーン通信において、前記ワイヤレス通信ネットワークのモビリティエンティティに非アクセス層（ＮＡＳ）メッセージを送ることと、
ＮＡＳ応答メッセージが前記モビリティエンティティから受信されていないと決定すると、前記第２の基地局との通信を終了することと
をさらに備える、請求項２０に記載の方法。
【請求項２２】
前記ＵＥによって、および前記第１の基地局から自律的に、前記ＵＥが第２の基地局へのセル再選択を実行すべきであると決定することと、
前記第１の基地局にアクセス要求を送ることと、ここにおいて、前記アクセス要求が、前記第２の基地局へのハンドオーバに関係する１つまたは複数の測定パラメータを備える、
前記第１の基地局によってサービスされることから前記第２の基地局によってサービスされることに遷移することと、
前記無線リソース設定の前記少なくとも一部分に従って前記第２の基地局と通信することと
をさらに備える、請求項１８に記載の方法。
【請求項２３】
前記第１の基地局から検証ページングメッセージを受信することと、
前記第１の基地局に検証応答を送ることと、前記検証応答が、ランダムアクセスプリアンブルまたはアップリンク制御情報メッセージを備える、
をさらに備える、請求項１８に記載の方法。
【請求項２４】
前記無線リソース設定の前記少なくとも一部分が、無線リソース制御（ＲＲＣ）セキュリティ情報、非アクセス層（ＮＡＳ）セキュリティ情報、前記ＵＥのための一時ネットワーク識別子、またはそれらの組合せのいずれかを備える、請求項１８に記載の方法。
【請求項２５】
ユーザ機器（ＵＥ）におけるワイヤレス通信のための装置であって、
プロセッサと、
前記プロセッサと電子通信しているメモリと、
前記メモリに記憶された命令と
を備え、前記命令が、前記装置に、
ワイヤレス通信ネットワークの第１の基地局によってサービスされている間の接続状態において無線リソース設定を確立することと、
前記第１の基地局から、前記ＵＥが半接続状態に遷移するべきという指示を受信することと、ここにおいて、前記半接続状態は、前記ＵＥによる少なくとも１つの一時ネットワーク識別子による物理ダウンリンク制御チャネルの監視の抑制、前記物理ダウンリンク制御チャネルのユーザ固有探索空間の監視の抑制、または前記ＵＥがアイドル状態にあるときの前記ＵＥのページングのための第２の間欠受信（ＤＲＸ）サイクルよりも短い前記ＵＥのページングのための第１のＤＲＸサイクル、のうちの少なくとも１つに関連する、
前記第１の基地局によってサービスされ続けながら、前記半接続状態に遷移した後、前記無線リソース設定の少なくとも一部分を維持することと
を行わせるために前記プロセッサによって実行可能である、
装置。
【請求項２６】
前記メモリに記憶され、前記装置に、
前記第１の基地局によってサービスされ続けながら、接続状態に遷移するために前記無線リソース設定の前記少なくとも一部分を利用すること
を行わせるために前記プロセッサによって実行可能な命令をさらに備える、請求項２５に記載の装置。
【請求項２７】
前記メモリに記憶され、前記装置に、
前記ＵＥによって、および前記第１の基地局から自律的に、前記ＵＥが第２の基地局へのセル再選択を実行すべきであると決定することと、
前記第２の基地局にアクセス要求を送ることと、
前記第１の基地局によってサービスされることから前記第２の基地局によってサービスされることに遷移することと、
前記無線リソース設定の前記少なくとも一部分に従って前記第２の基地局と通信することと
を行わせるために前記プロセッサによって実行可能な命令をさらに備える、請求項２５に記載の装置。
【請求項２８】
前記メモリに記憶され、前記装置に、
前記ＵＥによって、および前記第１の基地局から自律的に、前記ＵＥが第２の基地局へのセル再選択を実行すべきであると決定することと、
前記第１の基地局にアクセス要求を送ることと、ここにおいて、前記アクセス要求が、前記第２の基地局へのハンドオーバに関係する１つまたは複数の測定パラメータを備える、
前記第１の基地局によってサービスされることから前記第２の基地局によってサービスされることに遷移することと、
前記無線リソース設定の前記少なくとも一部分に従って前記第２の基地局と通信することと
を行わせるために前記プロセッサによって実行可能な命令をさらに備える、請求項２５に記載の装置。
【請求項２９】
前記メモリに記憶され、前記装置に、
ネットワークエンティティから、前記ＵＥが異なる基地局に再選択したという指示を受信することと、
前記指示を受信したことに応答して、前記ＵＥのための前記コンテキストを解放することと
を行わせるために前記プロセッサによって実行可能な命令をさらに備える、請求項１４に記載の装置。
【請求項３０】
前記メモリに記憶され、前記装置に、
前記基地局を含むコンテキスト共有のために構成されたエリア、前記基地局のトラッキングエリア、前記基地局のネイバーリスト、または前記ＵＥのネイバーリスト、のうちの１つまたは複数に関連する少なくとも１つの他の基地局に、前記ＵＥのための前記コンテキストを送ること
を行わせるために前記プロセッサによって実行可能な命令をさらに備える、請求項１４に記載の装置。
【手続補正２】
【補正対象書類名】明細書
【補正対象項目名】０１７４
【補正方法】変更
【補正の内容】
【０１７４】
[0191]本開示についての以上の説明は、当業者が本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
[Ｃ１]  基地局におけるワイヤレス通信のための方法であって、
前記基地局によってサービスされ、前記基地局との接続状態において設定されたユーザ機器（ＵＥ）について、前記ＵＥが前記接続状態から抜けて遷移されるべきと決定することと、
前記ＵＥに、前記ＵＥが前記接続状態から抜けて遷移すべきであることを示すことと、
前記ＵＥが前記接続状態から抜けて遷移すべきであることを前記示すことに続いて、および前記ＵＥが前記基地局によってサービスされ続けながら、前記基地局において前記ＵＥのためのコンテキストを維持することと
を備える、方法。
[Ｃ２]  前記ＵＥが前記接続状態から抜けているとき、前記ＵＥからアクセス要求を受信することと、
前記ＵＥの接続状態動作について、前記ＵＥのための前記コンテキストを前記ＵＥに関連付けることと、
前記ＵＥに、前記ＵＥが前記ＵＥのための前記コンテキストに従って前記接続状態に遷移すべきであることを示すことと
をさらに備える、Ｃ１に記載の方法。
[Ｃ３]  前記ＵＥが前記接続状態から抜けて遷移した後、前記ＵＥがアイドル状態に遷移すべきであると決定することと、
前記ＵＥに、前記ＵＥが前記アイドル状態に遷移すべきであることを示すことと、
前記ＵＥのための前記コンテキストを解放することと
をさらに備える、Ｃ１に記載の方法。
[Ｃ４]  前記ＵＥが前記アイドル状態に遷移すべきであると前記決定することが、アイドルタイマーの満了、過負荷コンディション、前記ＵＥの少なくとも１つの論理トラフィック接続に関連するデータトラフィックタイプ、前記少なくとも１つの論理トラフィック接続に関連するアクセスポイント名（ＡＰＮ）、またはそれらの組合せのいずれかに基づく、Ｃ３に記載の方法。
[Ｃ５]  前記ＵＥが前記接続状態から抜けて遷移した後、周期的検証間隔に従って前記ＵＥに検証ページングメッセージを送信することと、
検証応答が前記ＵＥから受信されない場合、前記ＵＥのための前記コンテキストを解放することと
をさらに備える、Ｃ１に記載の方法。
[Ｃ６]  ネットワークエンティティから、前記ＵＥが異なる基地局に再選択したという指示を受信することと、
前記指示を受信したことに応答して、前記ＵＥのための前記コンテキストを解放することと
をさらに備える、Ｃ１に記載の方法。
[Ｃ７]  前記基地局のコンテキストエリア、前記基地局のトラッキングエリア、前記基地局のネイバーリスト、または前記ＵＥのネイバーリストうちの１つまたは複数に関連する少なくとも１つの他の基地局に、前記ＵＥのための前記コンテキストを送ることをさらに備える、Ｃ１に記載の方法。
[Ｃ８]  前記ＵＥのための前記コンテキストが、ＵＥ状態情報、ＵＥセキュリティ情報、ＵＥ能力情報、前記ＵＥのための無線リソース制御（ＲＲＣ）設定、前記ＵＥのための少なくとも１つの論理トラフィック接続に関連する識別情報、またはそれらの組合せのいずれかを備える、Ｃ１に記載の方法。
[Ｃ９]  前記ＵＥに、前記ＵＥが前記接続状態から抜けて遷移すべきであることを前記示すことは、前記ＵＥが前記接続状態から半接続状態に遷移すべきであることを示す第１の接続解放メッセージを送ることを備え、前記半接続状態は、前記ＵＥによる少なくとも１つの一時ネットワーク識別子による物理ダウンリンク制御チャネルの監視の抑制、前記物理ダウンリンク制御チャネルのユーザ固有探索空間の監視の抑制、前記ＵＥがアイドル状態にあるときの前記ＵＥのページングのための第２の間欠受信（ＤＲＸ）サイクルよりも短い前記ＵＥのページングのための第１のＤＲＸサイクル、前記ＵＥによるチャネル状態情報の報告の抑制、または前記ＵＥのためのアップリンク制御情報リソースの利用可能性の抑制のうちの少なくとも１つに関連する、Ｃ１に記載の方法。
[Ｃ１０]  前記基地局において、前記ＵＥが前記接続状態から抜けて遷移した後、前記ＵＥのためのモビリティ管理エンティティまたはサービングゲートウェイのうちの少なくとも１つとの少なくとも１つの論理トラフィック接続を維持すること
をさらに備える、Ｃ１に記載の方法。
[Ｃ１１]  前記ＵＥのための前記少なくとも１つの論理トラフィック接続が、制御プレーントラフィックのための論理接続、ユーザプレーントラフィックのための論理接続、またはそれらの組合せのいずれかを備える、Ｃ１０に記載の方法。
[Ｃ１２]  前記ＵＥが前記接続状態から抜けて遷移されるべきと前記決定することが、接続状態タイマーの満了、データトラフィックコンディション、サービングゲートウェイからの指示、前記ＵＥの少なくとも１つの論理トラフィック接続に関連するデータトラフィックタイプ、前記少なくとも１つの論理トラフィック接続に関連するアクセスポイント名（ＡＰＮ）、またはそれらの組合せのいずれかに基づく、Ｃ１に記載の方法。
[Ｃ１３]  ＵＥ識別情報、ＵＥ能力インジケータ、ＵＥ設定、ＵＥ優先度情報、ＵＥデータトラフィック履歴、ＵＥ接続履歴、前記ＵＥのデータ接続に関連するパケットデータネットワーク識別子、前記基地局の負荷コンディション、またはそれらの組合せのいずれかに基づいて、前記ＵＥが前記接続状態から抜けて遷移するとき、前記ＵＥのための前記コンテキストが維持されるべきであるかどうかを決定すること
をさらに備える、Ｃ１に記載の方法。
[Ｃ１４]  前記基地局が、ロングタームエボリューション（ＬＴＥ）またはＬＴＥアドバンスト（ＬＴＥ−Ａ）ワイヤレスネットワークの発展型ノードＢ（ｅＮＢ）を備える、Ｃ１に記載の方法。
[Ｃ１５]  基地局におけるワイヤレス通信のための装置であって、
プロセッサと、
前記プロセッサと電子通信しているメモリと、
前記メモリに記憶された命令と
を備え、前記命令が、前記装置に、
前記基地局によってサービスされ、前記基地局との接続状態において設定されたユーザ機器（ＵＥ）について、前記ＵＥが前記接続状態から抜けて遷移されるべきと決定することと、
前記ＵＥに、前記ＵＥが前記接続状態から抜けて遷移すべきであることを示すことと、
前記ＵＥが前記接続状態から抜けて遷移すべきであることを前記示すことに続いて、および前記ＵＥが前記基地局によってサービスされ続けながら、前記基地局において前記ＵＥのためのコンテキストを維持することと
を行わせるために前記プロセッサによって実行可能である、
装置。
[Ｃ１６]  前記メモリに記憶され、前記装置に、
前記ＵＥが前記接続状態から抜けているとき、前記ＵＥからアクセス要求を受信することと、
前記ＵＥの接続状態動作について、前記ＵＥのための前記コンテキストを前記ＵＥに関連付けることと、
前記ＵＥに、前記ＵＥが前記ＵＥのための前記コンテキストに従って前記接続状態に遷移すべきであることを示すことと
を行わせるために前記プロセッサによって実行可能な命令をさらに備える、Ｃ１５に記載の装置。
[Ｃ１７]  前記メモリに記憶され、前記装置に、
前記ＵＥが前記接続状態から抜けて遷移した後、前記ＵＥがアイドル状態に遷移すべきであると決定することと、
前記ＵＥに、前記ＵＥが前記アイドル状態に遷移すべきであることを示すことと、
前記ＵＥのための前記コンテキストを解放することと
を行わせるために前記プロセッサによって実行可能な命令をさらに備える、Ｃ１５に記載の装置。
[Ｃ１８]  前記メモリに記憶され、前記装置に、
前記ＵＥが前記接続状態から抜けて遷移した後、周期的検証間隔に従って前記ＵＥをページングすることと、
前記ページングに対する応答が前記ＵＥから受信されない場合、前記ＵＥのための前記コンテキストを解放することと
を行わせるために前記プロセッサによって実行可能な命令をさらに備える、Ｃ１５に記載の装置。
[Ｃ１９]  基地局におけるワイヤレス通信のための装置であって、
前記基地局によってサービスされ、前記基地局との接続状態において設定されたユーザ機器（ＵＥ）について、前記ＵＥが前記接続状態から抜けて遷移されるべきと決定するための手段と、
前記ＵＥに、前記ＵＥが前記接続状態から抜けて遷移すべきであることを示すための手段と、
前記ＵＥが前記接続状態から抜けて遷移すべきであることを前記示すことに続いて、および前記ＵＥが前記基地局によってサービスされ続けながら、前記基地局において前記ＵＥのためのコンテキストを維持するための手段と
を備える、装置。
[Ｃ２０]  前記ＵＥが前記接続状態から抜けているとき、前記ＵＥからアクセス要求を受信するための手段と、
前記ＵＥの接続状態動作について、前記ＵＥのための前記コンテキストを前記ＵＥに関連付けるための手段と、
前記ＵＥに、前記ＵＥが前記ＵＥのための前記コンテキストに従って前記接続状態に遷移すべきであることを示すための手段と
をさらに備える、Ｃ１９に記載の装置。
[Ｃ２１]  前記ＵＥが前記接続状態から抜けて遷移した後、前記ＵＥがアイドル状態に遷移すべきであると決定するための手段と、
前記ＵＥに、前記ＵＥが前記アイドル状態に遷移すべきであることを示すための手段と、
前記ＵＥのための前記コンテキストを解放するための手段と
をさらに備える、Ｃ１９に記載の装置。
[Ｃ２２]  前記ＵＥが前記接続状態から抜けて遷移した後、周期的検証間隔に従って前記ＵＥに検証ページングメッセージを送信するための手段と、
検証応答が前記ＵＥから受信されない場合、前記ＵＥのための前記コンテキストを解放するための手段と
をさらに備える、Ｃ１９に記載の装置。
[Ｃ２３]  ユーザ機器（ＵＥ）におけるワイヤレス通信のための方法であって、
ワイヤレス通信ネットワークの第１の基地局によってサービスされながら、接続状態における無線リソース設定を確立することと、
前記第１の基地局から、前記ＵＥが半接続状態に遷移するべきという指示を受信することと、
前記第１の基地局によってサービスされ続けながら、前記半接続状態に遷移した後、前記無線リソース設定の少なくとも一部分を維持することと
を備える、方法。
[Ｃ２４]  前記第１の基地局によってサービスされ続けながら、接続状態に遷移するために前記無線リソース設定の前記少なくとも一部分を利用すること
をさらに備える、Ｃ２３に記載の方法。
[Ｃ２５]  前記ＵＥによって、および前記第１の基地局から自律的に、前記ＵＥが第２の基地局へのセル再選択を実行すべきであると決定することと、
前記第２の基地局にアクセス要求を送ることと、
前記第１の基地局によってサービスされることから前記第２の基地局によってサービスされることに遷移することと、
前記無線リソース設定の前記少なくとも一部分に従って前記第２の基地局と通信することと
をさらに備える、Ｃ２３に記載の方法。
[Ｃ２６]  前記第２の基地局との初期ユーザプレーン通信において、前記ワイヤレス通信ネットワークのモビリティエンティティに非アクセス層（ＮＡＳ）メッセージを送ることと、
ＮＡＳ応答メッセージが前記モビリティエンティティから受信されていないと決定すると、前記第２の基地局との通信を終了することと
をさらに備える、Ｃ２５に記載の方法。
[Ｃ２７]  前記ＵＥによって、および前記第１の基地局から自律的に、前記ＵＥが第２の基地局へのセル再選択を実行すべきであると決定することと、
前記第１の基地局にアクセス要求を送ることと、ここにおいて、前記アクセス要求が、前記第２の基地局へのハンドオーバに関係する１つまたは複数の測定パラメータを備える、
前記第１の基地局によってサービスされることから前記第２の基地局によってサービスされることに遷移することと、
前記無線リソース設定の前記少なくとも一部分に従って前記第２の基地局と通信することと
をさらに備える、Ｃ２３に記載の方法。
[Ｃ２８]  前記半接続状態は、前記ＵＥによる少なくとも１つの一時ネットワーク識別子による物理ダウンリンク制御チャネルの監視の抑制、前記物理ダウンリンク制御チャネルのユーザ固有探索空間の監視の抑制、前記ＵＥがアイドル状態にあるときの前記ＵＥのページングのための第２の間欠受信（ＤＲＸ）サイクルよりも短い前記ＵＥのページングのための第１のＤＲＸサイクル、前記ＵＥによるチャネル状態情報の報告の抑制、または前記ＵＥのためのアップリンク制御情報リソースの利用可能性の抑制のうちの少なくとも１つに関連する、Ｃ２３に記載の方法。
[Ｃ２９]  前記第１の基地局から検証ページングメッセージを受信することと、
前記第１の基地局に検証応答を送ることと、前記検証応答が、ランダムアクセスプリアンブルまたはアップリンク制御情報メッセージを備える、
をさらに備える、Ｃ２３に記載の方法。
[Ｃ３０]  前記無線リソース設定の前記少なくとも一部分が、無線リソース制御（ＲＲＣ）セキュリティ情報、非アクセス層（ＮＡＳ）セキュリティ情報、前記ＵＥのための一時ネットワーク識別子、またはそれらの組合せのいずれかを備える、Ｃ２３に記載の方法。
[Ｃ３１]  ユーザ機器（ＵＥ）におけるワイヤレス通信のための装置であって、
プロセッサと、
前記プロセッサと電子通信しているメモリと、
前記メモリに記憶された命令と
を備え、前記命令が、前記装置に、
ワイヤレス通信ネットワークの第１の基地局によってサービスされながら、接続状態における無線リソース設定を確立することと、
前記第１の基地局から、前記ＵＥが半接続状態に遷移するべきという指示を受信することと、
前記第１の基地局によってサービスされ続けながら、前記半接続状態に遷移した後、前記無線リソース設定の少なくとも一部分を維持することと
を行わせるために前記プロセッサによって実行可能である、
装置。
[Ｃ３２]  前記メモリに記憶され、前記装置に、
前記第１の基地局によってサービスされ続けながら、接続状態に遷移するために前記無線リソース設定の前記少なくとも一部分を利用すること
を行わせるために前記プロセッサによって実行可能な命令をさらに備える、Ｃ３１に記載の装置。
[Ｃ３３]  前記メモリに記憶され、前記装置に、
前記ＵＥによって、および前記第１の基地局から自律的に、前記ＵＥが第２の基地局へのセル再選択を実行すべきであると決定することと、
前記第２の基地局にアクセス要求を送ることと、
前記第１の基地局によってサービスされることから前記第２の基地局によってサービスされることに遷移することと、
前記無線リソース設定の前記少なくとも一部分に従って前記第２の基地局と通信することと
を行わせるために前記プロセッサによって実行可能な命令をさらに備える、Ｃ３１に記載の装置。
[Ｃ３４]  前記メモリに記憶され、前記装置に、
前記ＵＥによって、および前記第１の基地局から自律的に、前記ＵＥが第２の基地局へのセル再選択を実行すべきであると決定することと、
前記第１の基地局にアクセス要求を送ることと、ここにおいて、前記アクセス要求が、前記第２の基地局へのハンドオーバに関係する１つまたは複数の測定パラメータを備える、
前記第１の基地局によってサービスされることから前記第２の基地局によってサービスされることに遷移することと、
前記無線リソース設定の前記少なくとも一部分に従って前記第２の基地局と通信することと
を行わせるために前記プロセッサによって実行可能な命令をさらに備える、Ｃ３１に記載の装置。
[Ｃ３５]  ユーザ機器（ＵＥ）におけるワイヤレス通信のための装置であって、
ワイヤレス通信ネットワークの第１の基地局によってサービスされながら、接続状態における無線リソース設定を確立するための手段と、
前記第１の基地局から、前記ＵＥが半接続状態に遷移するべきという指示を受信するための手段と、
前記第１の基地局によってサービスされ続けながら、前記半接続状態に遷移した後、前記無線リソース設定の少なくとも一部分を維持するための手段と
を備える、装置。
[Ｃ３６]  前記第１の基地局によってサービスされ続けながら、接続状態に遷移するために前記無線リソース設定の前記少なくとも一部分を利用するための手段
をさらに備える、Ｃ３５に記載の装置。
[Ｃ３７]  前記ＵＥによって、および前記第１の基地局から自律的に、前記ＵＥが第２の基地局へのセル再選択を実行すべきであると決定するための手段と、
前記第２の基地局にアクセス要求を送るための手段と、
前記第１の基地局によってサービスされることから前記第２の基地局によってサービスされることに遷移するための手段と、
前記無線リソース設定の前記少なくとも一部分に従って前記第２の基地局と通信するための手段と
をさらに備える、Ｃ３５に記載の装置。
[Ｃ３８]  前記ＵＥによって、および前記第１の基地局から自律的に、前記ＵＥが第２の基地局へのセル再選択を実行すべきであると決定するための手段と、
前記第１の基地局にアクセス要求を送るための手段と、ここにおいて、前記アクセス要求が、前記第２の基地局へのハンドオーバに関係する１つまたは複数の測定パラメータを備える、
前記第１の基地局によってサービスされることから前記第２の基地局によってサービスされることに遷移するための手段と、
前記無線リソース設定の前記少なくとも一部分に従って前記第２の基地局と通信するための手段と
をさらに備える、Ｃ３５に記載の装置。